(57)【要約】【課題】試料が表面に形成された一対の反射基板での反射回数を簡単に変更することができる多重外部反射赤外分光装置を提供する。【解決手段】基板保持機構により所定間隔で平行に保持されている第一反射基板１１０と第二反射基板１２０とを基板配置機構が表面と直交する方向に変位させて配置する。このため、第一反射基板１１０と第二反射基板１２０とを所定間隔で平行に保持したまま変位させるだけで、第一反射基板１１０と第二反射基板１２０とで赤外線ＩＬが反射される回数を増減することができる。さらに、第一反射基板１１０と第二反射基板１２０との反射方向の全長を変更するとともに変位させることで、基板保持機構による保持の間隔は変更することなく赤外線ＩＬが反射される回数を大幅に増減することもできる。【選択図】図１
2011237246.tif 000002
【特許請求の範囲】
【請求項１】
赤外線を多重に反射する平行な一対の反射基板の表面の少なくとも一方に成膜されている試料を赤外線分光法でスペクトル分析する多重外部反射赤外分光装置であって、
第一反射基板と第二反射基板とを所定間隔で平行に保持する基板保持機構と、
保持された前記第一反射基板の表面に前記赤外線を所定角度に傾斜させて入射させる赤外線出射機構と、
前記第一反射基板の表面から前記所定角度に傾斜して出射される前記赤外線を検出する赤外線検出機構と、
前記基板保持機構により保持されている前記第一反射基板と前記第二反射基板とを前記表面と直交する方向に変位させて配置する基板配置機構と、
を有する多重外部反射赤外分光装置。
【請求項２】
前記赤外線出射機構は、保持された前記第一反射基板の表面に２０度〜７０度の傾斜で前記赤外線を入射させ、
前記赤外線検出機構は、前記第一反射基板の表面から前記傾斜で出射される前記赤外線を検出する請求項１に記載の多重外部反射赤外分光装置。
【請求項３】
前記第一反射基板と前記第二反射基板とが前記赤外線を反射する回数に対応した全長に形成されており、
前記基板配置機構は、前記基板保持機構により保持されている前記第一反射基板と前記第二反射基板とを前記赤外線の反射回数に対応した位置に配置する請求項１または２に記載の多重外部反射赤外分光装置。
【請求項４】
前記基板保持機構は、
磁性体で形成されていて前記第一反射基板を支持する第一支持部材と、
前記第二反射基板を支持する第二支持部材と、
前記所定間隔の板厚に形成されていて前記第一反射基板と前記第二反射基板とで挟持されるスペーサ部材と、
磁性体で形成されていて前記第二反射基板と前記スペーサ部材と前記第一反射基板とを前記第一支持部材に磁力で圧接させる基板圧接部材と、
を有する請求項１ないし３の何れか一項に記載の多重外部反射赤外分光装置。
【請求項５】
前記基板保持機構は、
磁性体で形成されていて前記第一反射基板を支持する第一支持部材と、
前記第二反射基板を支持する第二支持部材と、
前記所定間隔の板厚に形成されていて前記第一反射基板と前記第二反射基板とで挟持されるスペーサ部材と、
前記第二反射基板に圧接される基板圧接部材と、
磁性体で形成されていて前記基板圧接部材と前記第二反射基板と前記スペーサ部材と前記第一反射基板とを前記第一支持部材に磁力で圧接させる磁力圧接部材と、
を有する請求項１ないし３の何れか一項に記載の多重外部反射赤外分光装置。
【請求項６】
表面に前記試料が成膜された一枚の基礎基板が分断されて前記第一反射基板と前記第二反射基板とが形成されている請求項１ないし５の何れか一項に記載の多重外部反射赤外分光装置。
【請求項７】
赤外線を多重に反射する平行な一対の反射基板の表面の少なくとも一方に成膜されている試料を赤外線分光法でスペクトル分析する多重外部反射赤外分光方法であって、
第一反射基板と第二反射基板とを基板保持機構により所定間隔で平行に保持し、
前記基板保持機構により保持されている前記第一反射基板と前記第二反射基板とを前記表面と直交する方向に基板配置機構により変位させて配置し、
配置された前記第一反射基板の表面に所定角度に傾斜した前記赤外線を赤外線出射機構により出射し、
前記第一反射基板の表面から前記所定角度に傾斜して出射される前記赤外線を赤外線検出機構により検出する、多重外部反射赤外分光方法。
【請求項８】
保持された前記第一反射基板の表面に２０度〜７０度の傾斜で前記赤外線を入射させ、
前記第一反射基板の表面から前記傾斜で出射される前記赤外線を検出する請求項７に記載の多重外部反射赤外分光方法。
【請求項９】
前記第一反射基板と前記第二反射基板とを前記赤外線を反射する回数に対応した全長に形成し、
前記基板保持機構により保持する前記第一反射基板と前記第二反射基板とを前記基板配置機構により前記赤外線の反射回数に対応した位置に配置する請求項７または８に記載の多重外部反射赤外分光方法。
【請求項１０】
赤外線を多重に反射する平行な一対の反射基板の少なくとも一方の表面に成膜されている試料を赤外線分光法でスペクトル分析する多重外部反射赤外分光装置に利用される基板配置治具であって、
第一反射基板と第二反射基板とを所定間隔で平行に保持する基板保持機構と、
前記基板保持機構により保持されている前記第一反射基板と前記第二反射基板とを前記表面と直交する方向に変位させて配置する基板配置機構と、
を有する基板配置治具。
【発明の詳細な説明】
【技術分野】
【０００１】
本発明は、赤外線を多重に反射する平行な一対の反射基板の表面の少なくとも一方に成膜されている試料を赤外線分光法でスペクトル分析する多重外部反射赤外分光装置および方法、その基板配置治具、に関する。
【背景技術】
【０００２】
従来、試料をスペクトル分析する赤外線分光法の一つとして、多重外部反射赤外分光方法がある。多重外部反射赤外分光方法では、平行な一対の反射基板の表面の少なくとも一方に試料を成膜し、その一対の反射基板で赤外線を多重に反射させ、その赤外線をスペクトル分析する。
【０００３】
このような多重外部反射赤外分光方法は、膜厚が数〜数十ナノメートルの有機薄膜／金属の界面の官能基評価などに利用できる。多重外部反射赤外分光方法では、反射回数を増加させると、膜厚が光学的に厚くなるため、吸収ピーク強度は大きくなる。一方、反射回数を増加させると検出光自体の強度は減衰するため、Ｓ／Ｎ(Signal-to-Noise ratio)は低下する。
【０００４】
反射回数の増加による吸収ピーク強度の増加とＳ／Ｎの低下とはトレードオフの関係にある。このため、試料により反射回数を適正に調節することが重要である。現在、上述のような多重外部反射赤外分光装置として各種の提案がある（非特許文献１）。
【先行技術文献】
【非特許文献】
【０００５】
【非特許文献１】「多重外部反射赤外分光法の開発」倉本他著、長崎大学工学部研究報告Ｖｏｌ．３５(６４)pp.２９−３３，２００５
【発明の概要】
【発明が解決しようとする課題】
【０００６】
上述のように、多重外部反射赤外分光方法では、良好なＳ／Ｎで試料の特性を良好に反映させるためには、反射回数を適正に調節することが重要である。このため、従来の多重外部反射赤外分光方法では、非特許文献１にも記載のように、試料を成膜した一対の反射基板の間隔を調節することにより反射回数を変更している。
【０００７】
しかし、このように反射基板の間隔を調節するためには、板厚が相違する複数種類のスペーサが必要となる。さらに、このように複数種類のスペーサの板厚を正確に管理する必要もあり、トライ＆エラーで適正な反射回数を特定する作業が極度に煩雑である。
【０００８】
本発明は上述のような課題に鑑みてなされたものであり、試料が表面に形成された一対の反射基板での反射回数を簡単に変更することができる多重外部反射赤外分光装置および方法、その基板配置治具、を提供するものである。
【課題を解決するための手段】
【０００９】
本発明の多重外部反射赤外分光装置は、赤外線を多重に反射する平行な一対の反射基板の表面の少なくとも一方に成膜されている試料を赤外線分光法でスペクトル分析する多重外部反射赤外分光装置であって、第一反射基板と第二反射基板とを所定間隔で平行に保持する基板保持機構と、保持された第一反射基板の表面に赤外線を所定角度に傾斜させて入射させる赤外線出射機構と、第一反射基板の表面から所定角度に傾斜して出射される赤外線を検出する赤外線検出機構と、基板保持機構により保持されている第一反射基板と第二反射基板とを表面と直交する方向に変位させて配置する基板配置機構と、を有する。
【００１０】
従って、本発明の多重外部反射赤外分光装置では、第一反射基板と第二反射基板とを基板保持機構が所定間隔で平行に保持する。保持された第一反射基板の表面に赤外線出射機構が赤外線を所定角度に傾斜させて入射させる。第一反射基板の表面から所定角度に傾斜して出射される赤外線を赤外線検出機構が検出する。ただし、基板保持機構により保持されている第一反射基板と第二反射基板とを基板配置機構が表面と直交する方向に変位させて配置する。このため、第一反射基板と第二反射基板とを所定間隔で平行に保持したまま変位させるだけで、第一反射基板と第二反射基板とで赤外線が反射される回数が増減する。さらに、第一反射基板と第二反射基板との反射方向の全長を変更するとともに変位させることで、基板保持機構による保持の間隔は変更することなく赤外線が反射される回数が大幅に増減する。
【００１１】
また、上述のような多重外部反射赤外分光装置において、赤外線出射機構は、保持された第一反射基板の表面に２０度〜７０度の傾斜で赤外線を入射させ、赤外線検出機構は、第一反射基板の表面から上記傾斜で出射される赤外線を検出してもよい。
【００１２】
また、上述のような多重外部反射赤外分光装置において、第一反射基板と第二反射基板とが赤外線を反射する回数に対応した全長に形成されており、基板配置機構は、基板保持機構により保持されている第一反射基板と第二反射基板とを赤外線の反射回数に対応した位置に配置してもよい。
【００１３】
また、上述のような多重外部反射赤外分光装置において、基板保持機構は、磁性体で形成されていて第一反射基板を支持する第一支持部材と、第二反射基板を支持する第二支持部材と、所定間隔の板厚に形成されていて第一反射基板と第二反射基板とで挟持されるスペーサ部材と、磁性体で形成されていて第二反射基板とスペーサ部材と第一反射基板とを第一支持部材に磁力で圧接させる基板圧接部材と、を有してもよい。
【００１４】
また、上述のような多重外部反射赤外分光装置において、基板保持機構は、磁性体で形成されていて第一反射基板を支持する第一支持部材と、第二反射基板を支持する第二支持部材と、所定間隔の板厚に形成されていて第一反射基板と第二反射基板とで挟持されるスペーサ部材と、第二反射基板に圧接される基板圧接部材と、磁性体で形成されていて基板圧接部材と第二反射基板とスペーサ部材と第一反射基板とを第一支持部材に磁力で圧接させる磁力圧接部材と、を有してもよい。
【００１５】
また、上述のような多重外部反射赤外分光装置において、表面に試料が成膜された一枚の基礎基板が分断されて第一反射基板と第二反射基板とが形成されていてもよい。
【００１６】
本発明の多重外部反射赤外分光方法は、赤外線を多重に反射する平行な一対の反射基板の表面の少なくとも一方に成膜されている試料を赤外線分光法でスペクトル分析する多重外部反射赤外分光方法であって、第一反射基板と第二反射基板とを基板保持機構により所定間隔で平行に保持し、基板保持機構により保持されている第一反射基板と第二反射基板とを表面と直交する方向に基板配置機構により変位させて配置し、配置された第一反射基板の表面に所定角度に傾斜した赤外線を赤外線出射機構により出射し、第一反射基板の表面から所定角度に傾斜して出射される赤外線を赤外線検出機構により検出する。
【００１７】
また、上述のような多重外部反射赤外分光方法において、保持された第一反射基板の表面に２０度〜７０度の傾斜で赤外線を入射させ、第一反射基板の表面から上記傾斜で出射される赤外線を検出してもよい。
【００１８】
また、上述のような多重外部反射赤外分光方法において、第一反射基板と第二反射基板とを赤外線を反射する回数に対応した全長に形成し、基板保持機構により保持する第一反射基板と第二反射基板とを基板配置機構により赤外線の反射回数に対応した位置に配置してもよい。
【００１９】
本発明の基板配置治具は、赤外線を多重に反射する平行な一対の反射基板の少なくとも一方の表面に成膜されている試料を赤外線分光法でスペクトル分析する多重外部反射赤外分光装置に利用される基板配置治具であって、第一反射基板と第二反射基板とを所定間隔で平行に保持する基板保持機構と、基板保持機構により保持されている第一反射基板と第二反射基板とを表面と直交する方向に変位させて配置する基板配置機構と、を有する。
【００２０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２１】
また、本発明で云う表面に直交する方向に変位するとは、変位の結果として表面に直交する方向に移動していることになることを意味しており、変位の方向そのものが表面に完全に直交している必要はない。
【発明の効果】
【００２２】
本発明の多重外部反射赤外分光装置では、基板保持機構により所定間隔で平行に保持されている第一反射基板と第二反射基板とを基板配置機構が表面と直交する方向に変位させて配置する。このため、第一反射基板と第二反射基板とを所定間隔で平行に保持したまま変位させるだけで、第一反射基板と第二反射基板とで赤外線が反射される回数を増減することができる。さらに、第一反射基板と第二反射基板との反射方向の全長を変更するとともに変位させることで、基板保持機構による保持の間隔は変更することなく赤外線が反射される回数を大幅に増減することもできる。
【図面の簡単な説明】
【００２３】
【図１】本発明の実施の形態の多重外部反射赤外分光装置の構造を示す模式的な平面図である。
【図２】多重外部反射赤外分光装置の基板配置治具の組立構造を示す分解斜視図である。
【図３】基板配置治具の外観を示す斜視図である。
【図４】本発明の第一の実施例の要部の構造を示す模式図である。
【図５】第一の実施例の実験結果を示す特性図である。
【発明を実施するための形態】
【００２４】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２５】
本実施の形態の多重外部反射赤外分光装置は、赤外線ＩＬを多重に反射する平行な一対の反射基板１１０，１２０の表面の少なくとも一方に成膜されている試料ＳＰを赤外線分光法でスペクトル分析する。
【００２６】
このため、本実施の形態の多重外部反射赤外分光装置は、図１ないし図３に示すように、第一反射基板１１０と第二反射基板１２０とを所定間隔で平行に保持する基板保持機構２００と、保持された第一反射基板１１０の表面に赤外線ＩＬを所定角度に傾斜させて入射させる赤外線出射機構１３０と、第一反射基板１１０の表面から所定角度に傾斜して出射される赤外線ＩＬを検出する赤外線検出機構１４０と、基板保持機構２００により保持されている第一反射基板１１０と第二反射基板１２０とを表面と直交する方向に変位させて配置する基板配置機構１５０と、を有する。
【００２７】
本実施の形態の多重外部反射赤外分光装置では、第一反射基板１１０と第二反射基板１２０とは表面が前後方向と直交する状態に基板保持機構２００で保持され、前後方向に基板配置機構１５０で変位される。この基板配置機構１５０と基板保持機構２００とで、多重外部反射赤外分光装置の基板配置治具が形成されている。
【００２８】
さらに、本実施の形態の多重外部反射赤外分光装置では、図１に示すように、第一反射基板１１０と第二反射基板１２０とが赤外線ＩＬを反射する回数に対応した全長に形成される。
【００２９】
そして、本実施の形態の基板配置治具の基板配置機構１５０は、図３(ａ)(ｂ)に示すように、基板保持機構２００により保持されている第一反射基板１１０と第二反射基板１２０とを赤外線ＩＬの反射回数に対応した位置に配置する。
【００３０】
また、赤外線出射機構１３０は、図１に示すように、保持された第一反射基板１１０の表面に４５度の傾斜で赤外線ＩＬを入射させ、赤外線検出機構１４０は、第一反射基板１１０の表面から４５度の傾斜で出射される赤外線ＩＬを検出する。
【００３１】
なお、本実施の形態の多重外部反射赤外分光装置では、図１に示すように、第一反射基板１１０の表面から赤外線検出機構１４０への光路上に、赤外線ＩＬを規制するアパーチャ部材１４１が配置されている。
【００３２】
また、基板保持機構２００は、図２および図３に示すように、磁性体で形成されていて第一反射基板１１０を支持する第一支持部材２１０と、第二反射基板１２０を支持する第二支持部材２２０と、所定間隔の板厚に形成されていて第一反射基板１１０と第二反射基板１２０とで挟持されるスペーサ部材２３０と、第二反射基板１２０に圧接される基板圧接部材２４０と、磁性体で形成されていて基板圧接部材２４０と第二反射基板１２０とスペーサ部材２３０と第一反射基板１１０とを第一支持部材２１０に磁力で圧接させる磁力圧接部材２５０と、を有する。
【００３３】
第一支持部材２１０は、鉄合金などの磁性体で矩形の平板状の基板支持部２１１が形成されており、その後面四隅の各々から後方に直方体状の基板保持部２１２が個々に突設されている。第一支持部材２１０は、基板支持部２１１の後面に圧接される第一反射基板１１０を四本の基板保持部２１２で左右方向に保持する。
【００３４】
第二支持部材２２０は、非磁性体で第二反射基板１２０より薄板の平板状に形成されており、第二反射基板１２０が係合するとともに赤外線ＩＬが通過する十字状の開口孔２２１が形成されている。第二支持部材２２０は、その四隅に直角の凹部２２２が形成されており、これら四隅の凹部２２２で第一支持部材２１０の四隅の基板保持部２１２に支持される。
【００３５】
スペーサ部材２３０も、四隅に直角の凹部２３１が形成されており、これら四隅の凹部２３１で第一支持部材２１０の四隅の基板保持部２１２に支持される。スペーサ部材２３０は、第一反射基板１１０と第二反射基板１２０との所定間隔に対応した板厚に非磁性体で形成されており、赤外線ＩＬが通過する矩形の貫通孔２３２が形成されている。
【００３６】
基板圧接部材２４０は、赤外線ＩＬの光路に干渉することなく第二反射基板１２０を支持するＩ字状に非磁性体で形成されており、その四隅２４１で第一支持部材２１０の四隅の基板保持部２１２に左右方向に支持される。
【００３７】
磁力圧接部材２５０は、例えば、基板圧接部材２４０の上端近傍と下端近傍とに配置される一対の円筒状のネオジムマグネットからなり、基板圧接部材２４０と第二反射基板１２０とスペーサ部材２３０と第一反射基板１１０とを磁性体からなる第一支持部材２１０に磁力で圧接させる。
【００３８】
基板配置機構１５０は、前後方向に細長形状のガイドレール１５１と、このガイドレール１５１で前後方向に変位自在に支持されているガイド部材１５２と、を有し、このガイド部材１５２の後面に、上述の基板保持機構２００の第一支持部材２１０が固定されている。
【００３９】
なお、上述のような多重外部反射赤外分光装置は、既存の赤外線分光装置(図示せず)の基板配置治具を、上述の基板保持機構２００と基板配置機構１５０からなる基板配置治具と交換するだけで実現される。
【００４０】
このような多重外部反射赤外分光装置は、実際には赤外線ＩＬの光路が複数の反射鏡で複雑に形成されているが(図示せず)、本発明には関係しないため、図１では模式的に単純な光路を例示している。
【００４１】
なお、赤外光の乱反射を防ぐために、本実施の形態の多重外部反射赤外分光装置の各部に、黒色塗装やアルミニウム表面における黒色アルマイト処理等の、塗装や表面処理を行っても良い。
【００４２】
上述のような構成において、本実施の形態の多重外部反射赤外分光装置による多重外部反射赤外分光方法を以下に説明する。まず、一枚の基礎基板の表面に試料ＳＰが成膜され、この基礎基板を分断することで第一反射基板１１０と第二反射基板１２０とが形成される。
【００４３】
このとき、第一反射基板１１０と第二反射基板１２０とは、左右方向で反射回数に対応した全長に形成される。つぎに、基板配置機構１５０のガイド部材１５２に固定されている第一支持部材２１０に、図２に示すように、第一反射基板１１０と、スペーサ部材２３０と、第二反射基板１２０を支持した第二支持部材２２０と、基板圧接部材２４０とが、順番に装着され、最後に磁力圧接部材２５０で磁力により保持される。
【００４４】
このような状態で、基板配置機構１５０のガイド部材１５２が所定位置に配置されることで、例えば、図１(ａ)に示すように、第一反射基板１１０と第二反射基板１２０とで赤外線ＩＬが三回反射される。
【００４５】
このような状態から、さらに基板配置機構１５０のガイド部材１５２を後方に変位させることで、例えば、図１(ｂ)に示すように、第一反射基板１１０と第二反射基板１２０とで赤外線ＩＬが五回反射される。
【００４６】
つまり、赤外線出射機構１３０と赤外線検出機構１４０とを調節することなく、第一反射基板１１０と第二反射基板１２０との間隔も調節することなく、その反射回数を簡単に迅速に変更することができる。
【００４７】
さらに反射回数を増加させたい場合には、図１(ｃ)に示すように、左右方向で全長を延長した第一反射基板１１０と第二反射基板１２０とを形成すればよい。この場合、例えば、反射回数を九回などとすることもできる。
【００４８】
ただし、この場合は、基板保持機構２００の第一支持部材２１０と第二支持部材２２０とスペーサ部材２３０とは変更する必要がある。しかし、スペーサ部材２３０の板厚は変更する必要がない。
【００４９】
このため、第一反射基板１１０と第二反射基板１２０との間隔を正確に管理することができる。なお、上述のように反射回数を増加させるために第一反射基板１１０と第二反射基板１２０との左右方向の全長を延長した場合でも、これを前後方向に変位させることで反射回数を多少は増減することができる。
【００５０】
本実施の形態の多重外部反射赤外分光装置では、上述のように基板保持機構２００により所定間隔で平行に保持されている第一反射基板１１０と第二反射基板１２０とを基板配置機構１５０が表面と直交する方向に変位させて配置する。
【００５１】
このため、図１(ａ)(ｂ)に示すように、第一反射基板１１０と第二反射基板１２０とを所定間隔で平行に保持したまま変位させるだけで、第一反射基板１１０と第二反射基板１２０とで赤外線ＩＬが反射される回数を増減することができる。
【００５２】
さらに、図１(ｃ)に示すように、第一反射基板１１０と第二反射基板１２０との反射方向の全長を変更するとともに変位させることで、基板保持機構２００による保持の間隔は変更することなく赤外線ＩＬが反射される回数を大幅に増減することもできる。
【００５３】
さらに、本実施の形態の多重外部反射赤外分光装置では、赤外線出射機構１３０は、保持された第一反射基板１１０の表面に４５度の傾斜で赤外線ＩＬを入射させ、赤外線検出機構１４０は、第一反射基板１１０の表面から４５度の傾斜で出射される赤外線ＩＬを検出する。
【００５４】
このため、赤外線ＩＬの光路の設計が容易である。しかも、赤外線検出機構１４０にはアパーチャ部材１４１が装着されている。このため、多重反射で散乱されたノイズ光が赤外線検出機構１４０に検出されることを防止できる。
【００５５】
さらに、本実施の形態の多重外部反射赤外分光装置では、基板保持機構２００の第一支持部材２１０に、第一反射基板１１０と、スペーサ部材２３０と、第二反射基板１２０を支持した第二支持部材２２０と、基板圧接部材２４０とを、順番に装着し、最後に磁力圧接部材２５０で磁力により保持する。
【００５６】
このため、ボルト締結などの煩雑な作業を必要とすることなく、簡単かつ迅速に、第一反射基板１１０と第二反射基板１２０とを、平行に所定間隔に配置することができる。
【００５７】
しかも、本実施の形態の多重外部反射赤外分光装置では、上述のように一枚の基礎基板を分断することで、第一反射基板１１０と第二反射基板１２０とを形成する。このため、第一反射基板１１０と第二反射基板１２０との試料ＳＰを正確に同一とすることができ、試料ＳＰの特性を検出結果に良好に反映させることができる。
【００５８】
なお、本発明は本実施の形態に限定されるものではなく、その要旨を逸脱しない範囲で各種の変形を許容する。例えば、上記形態では基板保持機構２００が、第一支持部材２１０と第二支持部材２２０とスペーサ部材２３０と基板圧接部材２４０と磁力圧接部材２５０からなることを例示した。
【００５９】
しかし、上述の基板圧接部材２４０を磁性体で形成して着磁することにより、基板圧接部材２４０で第二反射基板１２０とスペーサ部材２３０と第一反射基板１１０とを第一支持部材２１０に圧接させ、磁力圧接部材２５０を省略することも可能である。
【００６０】
さらに、上記形態では第一反射基板１１０と第二反射基板１２０との左右方向の全長を変更した場合、それに対応してスペーサ部材２３０の左右方向の全長も変更することを例示した。
【００６１】
しかし、スペーサ部材２３０の左右方向の全長を事前に最大に形成しておくことにより、この一個のスペーサ部材２３０で左右方向の全長が相違する複数種類の第一反射基板１１０と第二反射基板１２０とに対応することもできる(図示せず)。
【００６２】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００６３】
［実施例１］
ここで本発明者による実験結果を実施例として以下に説明する。まず、図４に示すように、シリコン基板１１１の表面にアルミニウムの反射膜１１２が成膜された構造の基礎基板を用意し、その表面にＯＤＳＡ(オクタデシルこはく酸無水物)などの試料ＳＰをＬＢ(Langmuir-Blodgett)法で成膜した。
【００６４】
このＬＢ法による作製は、室温にてＯＤＳＡの１ｇ／Ｌトルエン溶液を、電気抵抗率１８．２ＭΩ・ｃｍ以上の超純水上に展開し、１５分静置した後、表面圧を３５ｍＮ／ｍに調整し、基礎基板を１０ｍｍ／分の速度で引き上げる条件で実行した。
【００６５】
このように成膜された試料ＳＰは、ＯＤＳＡの親水部を形成する無水こはく酸が基板表面の吸着水により開環し、こはく酸となって基板表面に存在し、このこはく酸から、ＯＤＳＡの疎水部を形成するＣ１８鎖が立設した分子配向状態と想定された。そして、この基礎基板を分断して第一反射基板１１０と第二反射基板１２０とを形成した。
【００６６】
そして、第一反射基板１１０で一回だけ反射させた場合と、第一反射基板１１０と第二反射基板１２０とで十五回まで反射させた場合とで、赤外線ＩＬをスペクトル分析したところ、図５に示すように、多重反射により試料ＳＰの特性が赤外線ＩＬに良好に反映され、開環したこはく酸を明確にスペクトル分析できることが確認された。
【００６７】
なお、上記の実験は、既存の赤外線分光装置の基板配置治具を、本実施の形態の基板保持機構２００と基板配置機構１５０からなる基板配置治具と交換することで実行された。
【００６８】
［実施例２］
つぎに、前述した非特許文献１に記載のように、左右方向の全長が３０ｍｍの第一反射基板１１０と第二反射基板１２０との間隔を可変することで、反射回数を変更させるシミュレーションを実行した。
【００６９】
すると、以下の表１に示すように、
【表１】
2011237246.tif 000003
第一反射基板１１０と第二反射基板１２０との間隔を複雑に正確に管理する必要があることが確認された。
【００７０】
つぎに、第一反射基板１１０と第二反射基板１２０との間隔を１．０ｍｍと規定し、本実施の形態の多重外部反射赤外分光装置で反射回数を変更させるシミュレーションを実行した。
【００７１】
すると、以下の表２に示すように、
【表２】
2011237246.tif 000004
第一反射基板１１０と第二反射基板１２０との左右方向の全長は単純でよく、その前後位置も単純に管理できることが確認された。
【００７２】
つまり、従来の手法では、複数種類のスペーサ部材を中途半端な板厚に正確に形成しておく必要があることになる。しかし、本発明の手法では、スペーサ部材は一種類の単純な板厚に形成すればよく、第一反射基板１１０と第二反射基板１２０との前後位置も単純に管理できることが確認された。
【００７３】
［実施例３］
つぎに、本発明者は本実施の形態の多重外部反射赤外分光装置で赤外線ＩＬの入射および出射(反射)の角度を変更するシミュレーションを実行した。
【００７４】
すると、以下の表３に示すように、
【表３】
2011237246.tif 000005
赤外線ＩＬの入射角(および出射角)を変更することで様々なメリットが発生することを確認できた。
【００７５】
つまり、第一反射基板１１０と第二反射基板１２０との全長の増減により反射回数を調整する場合と比べると、赤外線ＩＬの入射角(および出射角)を変更すると、第一反射基板１１０と第二反射基板１２０の全長および間隔を変更することなく、反射回数を大幅に増減可能になる。
【００７６】
このため、第一反射基板１１０と第二反射基板１２０を作製する回数を少なくすませる事ができる。しかも、反射回数の微調整が、反射基板１１０，１２０の全長の増減による場合と比べ、より容易になる。
【００７７】
さらに、有機物／金属からなる反射基板１１０，１２０の（多重）外部反射赤外測定では、しばしば赤外吸収波長を中心に屈折率の急激な変化が起こり（異常分散）、赤外スペクトルに歪が生じる場合がある。この歪みを、入射／出射角度を調整することにより、抑えられる可能性がある。
【００７８】
そして、反射基板１１０，１２０の表面に対し入射／出射角を大きくすることで、反射基板１１０，１２０の全長が相対的に短いサンプルでも反射回数を大きくすることができる。例：２９回反射を実現するためには、４５°では基板全長として２８ｍｍが必要であるが、これを６３．４°にすれば１４ｍｍですむことが確認された。
【符号の説明】
【００７９】
１１０    第一反射基板
１１１    シリコン基板
１１２    反射膜
１２０    第二反射基板
１３０    赤外線出射機構
１４０    赤外線検出機構
１４１    アパーチャ部材
１５０    基板配置機構
１５１    ガイドレール
１５２    ガイド部材
２００    基板保持機構
２１０    第一支持部材
２１１    基板支持部
２１２    基板保持部
２２０    第二支持部材
２２１    開口孔
２２２    凹部
２３０    スペーサ部材
２３１    凹部
２３２    貫通孔
２４０    基板圧接部材
２４１    四隅
２５０    磁力圧接部材
ＩＬ    赤外線
ＳＰ    試料
【図１】
2011237246.tif 000006
【図２】
2011237246.tif 000007
【図３】
2011237246.tif 000008
【図４】
2011237246.tif 000009
【図５】
2011237246.tif 000010